(57)【要約】【課題】  携帯に便利であり、コストも非常に安い、被服等に付着した埃を取るためのシートを提供すること。【解決手段】  一枚の紙の左側面部の裏側（１）及び右側面部の裏側（２）に剥離剤（６）と粘着剤（５）とが交互に配列されること，  剥離剤（６）と粘着剤（５）とが左側面部の裏側（１）と右側面部の裏側（２）とでは互いに齟齬した位置に配列されるように設けられること，左側面部の裏側（１）と右側面部の裏側（２）におけるそれぞれの対応する位置の剥離剤（６）と粘着剤（５）とが互いに重合するように設けられ、左側面部の裏側（１）と右側面部の裏側（２）が中央折り部（３）より折った場合一体に貼着されること，  左又は右の側面部の、中央折り部（３）とは反対側の所定の位置に凸状部（４）が設けられていること，からなる。【選択図】  図２
0003103265.tif 000002
【実用新案登録請求の範囲】
【請求項１】
一枚の紙の左側面部の裏側（１）及び右側面部の裏側（２）に剥離剤（６）と粘着剤（５）とが交互に配列されること，
剥離剤（６）と粘着剤（５）とが左側面部の裏側（１）と右側面部の裏側（２）とでは互いに齟齬した位置に配列されるように設けられること，左側面部の裏側（１）と右側面部の裏側（２）におけるそれぞれの対応する位置の剥離剤（６）と粘着剤（５）とが互いに重合するように設けられ、左側面部の裏側（１）と右側面部の裏側（２）が中央折り部（３）より折った場合一体に貼着されること，
左又は右の側面部の、中央折り部（３）とは反対側の所定の位置に凸状部（４）が設けられていること，
からなることを特徴とする被服等に付着した埃を取るためのシート。
【請求項２】
前記被服等に付着した埃を取るためのシートの大きさが縦５ｃｍ〜７ｃｍ，横８ｃｍ〜１０ｃｍであることを特徴とする被服等に付着した埃を取るためのシート。
【考案の詳細な説明】
【技術分野】
【０００１】
本考案は被服等に付着した埃を取るためのシートに関する。
【背景技術】
【０００２】
従来、被服等に付着した埃を取る場合、洋服用ブラシ等で取ることが通例である。しかし洋服ブラシがなかった場合には洋服ブラシの代わりにガムテープの裏の粘着剤を利用して埃を取ったりしていた。
【考案の開示】
【考案が解決しようとする課題】
【０００３】
しかし洋服用ブラシは一定の厚みと大きさがあり携帯に不便であり、又ガムテープを使用する場合もガムテープを被服等の埃取りのために携帯するのは不便であるという問題点があった。
【０００４】
そこで、本考案は、携帯に便利であり、コストも非常に安い、被服等に付着した埃を取るためのシートを提供することを目的とする。
【課題を解決するための手段】
【０００５】
前記目的を達成するため、本考案の被服等に付着した埃を取るためのシートは、
一枚の紙の左側面部の裏側及び右側面部の裏側に剥離剤と粘着剤とが交互に配列されること，
剥離剤と粘着剤とが左側面部の裏側と右側面部の裏側とでは互いに齟齬した位置に配列されるように設けられること，左側面部の裏側と右側面部の裏側におけるそれぞれの対応する位置の剥離剤と粘着剤とが互いに重合するように設けられ、左側面部の裏側と右側面部の裏側が中央折り部より折った場合一体に貼着されること，
左又は右の側面部の、中央折り部とは反対側の所定の位置に凸状部が設けられていること，
からなる。
【０００６】
又、前記被服等に付着した埃を取るためのシートの大きさが縦５ｃｍ〜７ｃｍ，横８ｃｍ〜１０ｃｍであることが好適である。
【考案の効果】
【０００７】
本考案のシートの材質は紙であるので、非常に軽量で、薄く、又、小型に出来ているため、簡単かつ嵩張らずに持ち運ぶことが出来、使用後は紙として捨てられるので非常に便利である。
又、使用した後に、本考案のシートを閉じ、使用する際、再び開いて使用することが可能である。即ち、粘着剤の粘着の効果がなくなるまで使用することが出来るものである。
又、本考案のシートは紙で出来ているので左側面部の表面及び右側面部の表面に種々のデザイン、広告等を印刷することが出来るものである。
又、香料を添加、含浸させることも出来るし、消臭剤を添加した場合にはゴミと同時に被服に付着した臭いも消すことが出来るものである。
さらに、紙製なので製作費用も非常に安く出来るものである。
【考案を実施するための最良の形態】
【０００８】
本考案の実施の形態の一例を図面にしたがって説明する。
図１は本考案の被服等に付着した埃を取るためのシートを示す図であり、この図１に示す状態の形で、ポケット、ハンドバッグ等に入れて持ち運ぶものである。本考案のシートは縦５ｃｍ〜７ｃｍ，横８ｃｍ〜１０ｃｍで、最も好適な大きさは名刺の大きさである。この大きさだと、ポケット・ハンドバッグ・財布及び名刺入れ等に嵩張らずに、簡単に出し入れすることが出来るものである。
【０００９】
図２は本考案のシートを開いた状態を示す図である。
左側面部の裏側１及び右側面部の裏側２に剥離剤６と粘着剤５とが交互に配列され、剥離剤６と粘着剤５とが左側面部の裏側１と右側面部の裏側２とでは齟齬した位置に配列され、左側面部の裏側１と右側面部の裏側２におけるそれぞれの対応する位置の剥離剤６と粘着剤５とが互いに重合するように設けられているので、左側面部の裏側１と右側面部の裏側２が中央折り部３より折った場合、一体に貼着出来るものであり、粘着した状態の形が図１に示される形である。
【００１０】
図１のように本考案のシートを閉じた状態から図２のように開いた状態にする場合、凸状部４を利用すると簡単に開くことが出来るものである。凸状部４の形状は四角形でも半円形でもなんでも良い。
【００１１】
図３は本考案のシートを折り曲げた状態を示す図である。
剥離剤６と粘着剤５とが配列されている右側面部の裏側２を折り曲げて左側面部の表側７に粘着すると空隙の部分が出来る。逆に左側面部の裏側１を折り曲げて右側面部の表側８に粘着しても良い。粘着力は埃が取れれば良い程度である。
そこで、図４に示すように空隙の部分に手を入れて本考案のシートを使用すれば被服に付着した埃を簡単に取ることが出来るものである。
【００１２】
図５は本考案のシートを折り畳もうとする状態を示す図であり、本考案のシートの使用が済んだら折り畳んで図１に示すように閉じた状態にし、使用する場合は再び開いて使用すれば良い。
このようにすれば、粘着剤５の粘着の効果がなくなるまで本考案のシートを使用することが出来、非常に経済的である。
【図面の簡単な説明】
【００１３】
【図１】本考案のシートを示す図である。
【図２】本考案のシートを開いた状態示す図である。
【図３】本考案のシートを折り曲げた状態を示す図である。
【図４】本考案のシートに手を入れて使用する状態を示す図である。
【図５】本考案のシートを折り畳もうとする状態を示す図である。
【符号の説明】
【００１４】
１      左側面部の裏側
２      右側面部の裏側
３      中央折り部
４      凸状部
５      粘着剤
６      剥離剤
７      左側面部の表側
８      右側面部の表側
【図１】
0003103265.tif 000003
【図２】
0003103265.tif 000004
【図３】
0003103265.tif 000005
【図４】
0003103265.tif 000006
【図５】
0003103265.tif 000007
【手続補正書】
【提出日】平成16年3月17日(2004.3.17)
【手続補正１】
【補正対象書類名】実用新案登録請求の範囲
【補正対象項目名】請求項２
【補正方法】変更
【補正の内容】
【請求項２】
被服等に付着した埃を取るためのシートの大きさが縦５ｃｍ〜７ｃｍ，横８ｃｍ〜１０ｃｍであることを特徴とする請求項１記載の被服等に付着した埃を取るためのシート。